(57)【特許請求の範囲】
【請求項１】
折板屋根や瓦棒葺き屋根等凹凸を有する凹凸屋根の遮熱構造であって、
屋根を構成する屋根材の、太陽光側に位置する凸部及びこの凸部から凹部に至る側面のみに第一両面テープが設けられ、前記第一両面テープを介して前記屋根材の太陽光側に遮熱材が、屋根材の形状に沿って位置付けられている、
ことを特徴とする凹凸屋根の遮熱構造。
【請求項２】
前記屋根材の裏側に、第二両面テープ又は第一接着剤が設けられ、
前記遮熱材が、前記屋根材の端部に対向する位置で折り曲げられ、この折り曲げられた遮熱材は、前記第二両面テープ又は前記第一接着剤を介して、前記屋根材の裏側に位置付けられる、
ことを特徴とする請求項１に記載の凹凸屋根の遮熱構造。
【請求項３】
前記屋根材の端部に、第三両面テープ又は第二接着剤が設けられ、
前記遮熱材の折り曲げられた部分が、前記第三両面テープ又は前記第二接着剤を介して、前記端部に貼り付けられる、
ことを特徴とする請求項２に記載の凹凸屋根の遮熱構造。
【請求項４】
前記屋根材が、第一接合部を有する一方の屋根材と、第二接合部を有する他方の屋根材とが、前記第一接合部と前記第二接合部とが接続され、
前記第一接合部と前記第二接合部とが接続されることで形成された接続部が前記遮熱材で被覆されている、
ことを特徴とする請求項１から請求項３の何れか一項に記載の凹凸屋根の遮熱構造。
【請求項５】
前記遮熱材が、着色顔料等を含有し輻射熱を良く透過する高透過樹脂の乱反射層、アルミホイル等輻射熱に対して高反射率の素材、第一粘着フィルム、不織布やガラス繊維、第二粘着フィルム、アルミホイル等輻射熱に対して高反射率の素材、輻射熱を良く透過する高透過樹脂層が、前記太陽光側より順次積層されて構成されている、
ことを特徴とする請求項１から請求項４の何れか一項に記載の凹凸屋根の遮熱構造。
【発明の詳細な説明】
【技術分野】
【０００１】
本発明は、工場や倉庫或いは店舗等で使われている折板屋根や瓦棒葺き等の凹凸のある屋根の太陽光側に、両面テープで遮熱材を貼る事により、安価で誰でも簡単に施工でき、しかも大幅な省エネルギーや熱中症対策に効果的な凹凸屋根の遮熱構造に関するものである。
【背景技術】
【０００２】
折板屋根の凹部の底辺（谷部分）に両面接着テープを貼り、折板屋根の上面（太陽光側）に遮熱シートを貼る工法及びこの工法により施工された屋根外装構造が開示されている（特許文献１）。
【先行技術文献】
【特許文献】
【０００３】
【特許文献１】特許第６５９８３３７号公報
【発明の概要】
【発明が解決しようとする課題】
【０００４】
屋外遮熱工事で最も注意しなければならない事は、風により遮熱材が飛ばされることである。これを防止するには、屋根材の表面を綺麗にする事、そして風が侵入しない様、遮熱材を屋根材に完全に密着させる事である。それには、接着剤を屋根材の全面に塗布して、遮熱材を取り付ける事である。
しかし、接着剤として使用するのは、主として溶剤系の素材で、屋根材の表面温度は４０℃程度が限界であり、それ以上の温度になると短時間で乾燥し、接着不良を起こしやすくなる。そのため、溶剤系の素材で構成される接着剤を使用する場合、夏場は施工できないという問題がある。
【０００５】
この問題に対処する為、ブチルテープやアクリルテープ等、熱に強い両面テープを使用し、屋根材に遮熱材を貼る工法が知られている。この工法は、屋根材の凹部の底部にのみ両面テープを貼る事により遮熱材を密着する工法である。
【０００６】
この工法では、遮熱材を幅広の折板屋根に貼る場合、先ず両面テープを折板屋根材凹部に施工する。続いて、折板屋根の断面の凹部及び凸部の全長を測定し遮熱材の幅を決め、ロール状の遮熱材を切断する。その後、ロール状の遮熱材を広げながら折板屋根材の中に落とし込む様に敷き、凹部の底辺の角部を樹脂ヘラ等で押し付け、長手方向に折目を付けながら逆台形の形状とする。即ち、折板屋根と同形状の遮熱材が、長手方向に出来る事になる。
【０００７】
次に、両面テープの端部が見える様に、この遮熱材を上部に持ち上げながら手前側に引き寄せ、両面テープの離形紙を剥がし遮熱材を貼る工程である。
しかし、この工程において、遮熱材を手前に引けば引くほど両面テープの端部は作業者から遠くなり、一人では施工出来ないという問題があった。又、屋外は風が吹いている時が多く、シート状の遮熱材は風の抵抗を受けやすく、折角角部を折り曲げても、正確に貼る事が出来ず、綺麗に仕上がらないという問題もある。
更には、接着剤を使用した場合であれば、遮熱材と折板屋根材が密着するので空間が出来ず電食による腐食は無いが、両面テープのみ使用した場合は、この腐食が生じるという問題もある。
【０００８】
本発明は、これらの問題を解決する為になされたものであり、安価で、簡単に施工できるとともに、大幅な省エネルギーや熱中症対策に効果的な凹凸屋根の遮熱構造を提供することを目的とする。
【課題を解決するための手段】
【０００９】
本発明に係る凹凸屋根の遮熱構造は、折板屋根や瓦棒葺き屋根等の凹凸を有する凹凸屋根に形成され、屋根を構成する屋根材の、太陽光側に位置する凸部と、凸部から凹部に至る側面とに第一両面テープが設けられ、この第一両面テープを介して屋根材の太陽光側に遮熱材が位置付けられていることを特徴とする。
【００１０】
本発明に係る凹凸屋根の遮熱構造は、屋根材の裏側に、第二両面テープ又は第一接着剤が設けられ、遮熱材が屋根材の端部に対向する箇所で折り曲げられ、この折り曲げられた遮熱材は、第二両面テープ又は第一接着剤を介して、屋根材の裏側に位置付けられることを特徴とする。
【００１１】
本発明に係る凹凸屋根の遮熱構造は、屋根材の端部に、第三両面テープ又は第二接着剤が設けられ、遮熱材の折り曲げられた部分が、第三両面テープ又は第二接着剤を介して、端部に貼り付けられることを特徴とする。
【００１２】
本発明に係る凹凸屋根の遮熱構造は、第一接合部を有する一方の屋根材と、第二接合部を有する他方の屋根材とが、第一接合部と第二接合部とが接続され、第一接合部と第二接合部とが接続されることで形成された接続部が遮熱材で被覆されていることを特徴とする。
【００１３】
本発明に係る凹凸屋根の遮熱構造は、遮熱材が、着色顔料等を含有し輻射熱を良く透過する高透過樹脂の乱反射層、アルミホイル等輻射熱に対して高反射率の素材、第一粘着フィルム、不織布やガラス繊維等、第二粘着フィルム、アルミホイル等輻射熱に対して高反射率の素材、輻射熱を良く透過する高透過樹脂層が、太陽光側より順次積層されて構成されていることを特徴とする。
【発明の効果】
【００１４】
本発明に係る凹凸屋根の遮熱構造は、屋根材の凸部と凹部の側面に両面テープが設けられ、屋根材の全面に遮熱材が貼り付けられるため、折板屋根や瓦棒葺きの屋根に遮熱材を貼る時、凹部の底に立って一人で施工でき、かつ風が吹いても溝からずれることなく施工可能であり、容易に構築できるものである。そのため、凹凸を有する屋根において、本発明に係る凹凸屋根の遮熱構造を適用することで、作業効率が２０％以上向上し、施工価格も低減する事が出来る。
【００１５】
本発明に係る凹凸屋根の遮熱構造は、屋根材の裏側に、第二両面テープ又は第一接着剤が設けられ、折り曲げられた遮熱材が第二両面テープ又は第一接着剤を介して、屋根材の裏側に位置付けられる。そのため、端部は、遮熱材によって被覆され、水下側からの風が、遮熱材と凹部の底部との隙間に入り込むことを確実に防ぐことができ、風の影響で遮熱材が剥がれてしまうことを確実に防止することが出来る。
さらに、本発明に係る凹凸屋根の遮熱構造は、屋根材の端部に、第三両面テープ又は第二接着剤が設けられ、遮熱材の折り曲げられた部分が、第三両面テープ又は第二接着剤を介して、端部に貼り付けられるため、遮熱材をより確実に屋根材に固定できるとともに、外観も良好に維持出来る。
【００１６】
また、本発明に係る凹凸屋根の遮熱構造は、一方の屋根材と、他方の屋根材とが、接続されることで形成された接続部が遮熱材で被覆されているため、接続部から雨水等が屋根材の内部に侵入することを確実に防ぐことができる。
【００１７】
さらに、本発明に係る凹凸屋根の遮熱構造は、着色顔料等を含有し輻射熱を良く透過する高透過樹脂の乱反射層、アルミホイル等輻射熱に対して高反射率の素材、第一粘着フィルム、不織布やガラス繊維等、第二粘着フィルム、アルミホイル等輻射熱に対して高反射率の素材、輻射熱を良く透過する高透過樹脂層が、太陽光側より順次積層されて構成された遮熱材が貼り付けられているため、大幅な省エネルギーや効果的な熱中症対策に寄与する。
【図面の簡単な説明】
【００１８】
【図１】本発明の実施形態に係る凹凸屋根の遮熱構造を構成する遮熱材の断面図である。
【図２】本発明の第一実施形態に係る凹凸屋根の遮熱構造を示す断面図である。
【図３】本発明の第二実施形態に係る凹凸屋根の遮熱構造を折板屋根に形成した例を示す図である。（ａ）凹凸屋根の遮熱構造を形成する前の折板屋根の幅方向における断面図を示し、（ｂ）凹凸屋根の遮熱構造を形成した後の折板屋根の幅方向における断面図を示している。
【図４】本発明の第二実施形態に係る凹凸屋根の遮熱構造を折板屋根に形成した例を示す図である。（ａ）凹凸屋根の遮熱構造を形成した後の折板屋根の流れ方向における断面図、（ｂ）凹凸屋根の遮熱構造を形成した後の接続部の幅方向における断面図を示している。
【図５】本発明の第二実施形態に係る凹凸屋根の遮熱構造を瓦棒葺き屋根に形成した例を示す図である。（ａ）凹凸屋根の遮熱構造を形成する前の瓦棒葺き屋根の幅方向における断面図を示し、（ｂ）凹凸屋根の遮熱構造を形成した後の瓦棒葺き屋根の幅方向における断面図を示している。
【図６】本発明の第二実施形態に係る凹凸屋根の遮熱構造を瓦棒葺き屋根に形成した例を示す図である。（ａ）凹凸屋根の遮熱構造を形成した後の瓦棒葺き屋根の流れ方向における断面図、（ｂ）凹凸屋根の遮熱構造を形成した後の接続部の幅方向における断面図を示している。
【発明を実施するための形態】
【００１９】
［第一実施形態］
本発明を実施するための形態について、図１及び図２を参照し、説明する。
遮熱材を屋根の屋外側に施工するには、接着剤で貼る方法と両面テープで貼る方法がある。接着剤は溶剤系が多く、接着面が高温になると乾燥して接着不良が生じることが多く、屋根材の表面温度が約４０℃以下でなければ使用できない。夏場の折板屋根材は８０℃まで温度が上昇するため、夏場に接着剤で遮熱材を施工することは現実的ではない。この代替が両面テープであり、両面テープを使用することで、接着面の温度が８０℃位でも施工可能で、年間を通して現場施工が出来る事になる。
【００２０】
従来、凹凸を有する屋根の屋根材の凹部の底辺に、両面テープを貼って遮熱材を固定する方法も利用されているが、この工法では、一端位置決めした遮熱材を空中に持ち上げる事になり、常時吹いている風には対処しにくく、一端セットした位置からずれてしまい綺麗に仕上がらないという問題がある。更に、遮熱材を持ち上げて行う工法は、一人で作業することは難しいため、複数の施工者が必要となり、施工費用が高くなる。
【００２１】
本実施形態に係る凹凸屋根の遮熱構造１０は、折板屋根や瓦棒葺き等凹凸のある屋根に形成される。この凹凸屋根の遮熱構造１０は、屋根を構成する折板半屋根材（屋根材）７の、太陽光側の凸部１２と、凸部１２から凹部１１に至る側面（側部）１３とに両面テープ９が設けられ、太陽光側より、両面テープ９を介して折板半屋根材７の全面に屋外用遮熱材（遮熱材）１が位置付けられることで形成されている。
【００２２】
本実施形態では、第一に折板屋根のハゼ折や瓦棒葺き屋根等の凹部１１の面積が大きいものを対象としているため、遮熱工事をする時、施工者が凹部１１に入って立ったまま作業できるものを基本としている。第二に、一人作業により施工出来る事を基本としている。第三に、綺麗に仕上げる為、一度位置決めした屋外用遮熱材１は出来るだけ動かさず接着する。
【００２３】
この様な観点から、ブチルテープやアクリルテープ等の両面テープは、折板屋根や瓦棒葺き等の凹凸のある屋根材７の凹部１１の側面１３や凸部１２の側面１３に貼り付けられ、凹部１１の底部に両面テープ９は設けない。
両面テープ９が屋外用遮熱材１の底面にあると、両面テープ９の離形紙を剥がすのに遮熱材１は上方に引き上げなければならないが、凹部１１の側面１３に施工してあれば、底面は動かさずそのままで、屋外用遮熱材１を屋根材７の凹部１１の内側に折るだけで両面テープ９の離形紙は簡単に剥がす事が出来、しかも再び戻せば屋外用遮熱材１を屋根材７に密着する事が出来る。また、ブチルテープ等の両面テープ９は、屋根材７の温度が高温（例えば、８０℃）でも施工する（使用する）ことができるため、夏場でも遮熱工事をすることができ、年間を通して、何時でも施工が可能である。
【００２４】
屋外用遮熱材１は、着色顔料等を含有し輻射熱を良く透過する高透過樹脂の乱反射層２、アルミホイル等輻射熱に対して高反射率の素材３、粘着フィルム４、不織布やガラス繊維等５、粘着フィルム４、アルミホイル等輻射熱に対して高反射率の素材３、輻射熱を良く透過する高透過樹脂層６の７層が太陽光側から順次積層されて構成されている。
【００２５】
屋外用遮熱材１は、通常全面接着するため、太陽側から、着色顔料等を含有する輻射熱を良く透過する高透過樹脂をコーテイングした乱反射層２、アルミホイル等輻射熱に対して高反射率の素材３、粘着フィルム４、不織布やガラス繊維等５、粘着フィルム４、アルミホイル等輻射熱に対して高反射率の素材３が順次積層された構成としている。しかし、両面テープ９を使用すると、屋外用遮熱材１と屋根材７との間に極わずかの空間８ができ、この空間８に湿気が侵入すると忽ち電食を起こす要因となる。そのため、屋根材７と接触する屋外用遮熱材１の表面は、電食処理を施している。電食処理をすることで、湿気による電食を防止することができる。
【００２６】
本実施形態では、屋外用遮熱材１の室内側に輻射熱を良く透過する高透過樹脂層６を設ける事により、屋根材７と屋外用遮熱材１との間に空間８が形成された場合であっても、電食防止ができる構造となる。
なお、夏場、空気が膨張して屋外用遮熱材１が膨らむ可能性を考慮して、空間８のように、屋外用遮熱材１と屋根材７との間に形成された隙間は、予め接着剤を塗布しておくことで、形成されないようにすることもできる。
【００２７】
アルミホイル等輻射熱に対して高反射率の素材３は、輻射熱に対する反射率が９５％〜９８％と高く、そのまま屋外で使用すると太陽光が反射して人間の目を傷めたり、或いは航空障害を引き起こしたりする要因にもなる。そこで、乱反射層２には、輻射熱を良く透過する高透過樹脂に着色顔料等を含有させ、太陽光を乱反射させることで、人間の目を傷めたり、航空障害を引き起こしたりすることを回避している。
又、この着色顔料等を含有する輻射熱を良く透過する高透過樹脂の乱反射層２をアルミホイル等輻射熱に対して高反射率の素材３の表面に施工する事により、アルミホイル等輻射熱に対して高反射率の素材３の弱点でもある耐酸性や耐アルカリ性能が向上し、屋外でも腐食せずに長期間使用する事が可能である。
【００２８】
アルミホイル等輻射熱に対して高反射率の素材３の純度は一般的には９９．５％以上、厚みは約５〜１０μｍのものを使用する。
【００２９】
屋外用遮熱材１に使用する粘着フィルム４は、アルミホイル等輻射熱に対して高反射率の素材３と不織布やガラス繊維５が熱溶着する為の素材であり、例えば、ポリエステルフィルムを使用できる。
【００３０】
本実施形態に係る凹凸屋根の遮熱構造１０は、凹部１１の底部に両面テープ９は設けず、屋根を構成する屋根材の凸部１２と凹部１１の側面１３に両面テープ９が設け、屋根材７の全面に屋外用遮熱材１が貼り付けられるため、折板屋根や瓦棒葺きの屋根の屋根材７に屋外用遮熱材１を貼る時、凹部１１の底に立って一人で施工でき、かつ風が吹いても溝からずれることなく綺麗に施工することが可能であり、容易に構築できる。
したがって、凹凸を有する屋根において、凹凸屋根の遮熱構造１０を構築することで、作業効率を向上させ、施工費用を低減する事が出来る。
【００３１】
さらに、本実施形態に係る凹凸屋根の遮熱構造１０を屋根に構築することで、大幅な省エネルギー対策や熱中症対策に効果的である。
【００３２】
［第二実施形態］
本実施形態に係る凹凸屋根の遮熱構造２０は、第一実施形態で示した凹凸屋根の遮熱構造１０において、屋外用遮熱材１の貼り付ける範囲（箇所）が相違する。
本実施形態に係る凹凸屋根の遮熱構造２０について、図３及び図４を参照し、説明する。
【００３３】
本実施形態に係る凹凸屋根の遮熱構造２０は、例えば、折板屋根３０や瓦棒葺き屋根４０に形成される。この凹凸屋根の遮熱構造２０は、第一実施形態で説明した凹凸屋根の遮熱構造１０に加え、屋根材７の裏側７Ｂに、両面テープ２１（第二両面テープ）又は接着剤２２（第一接着剤）が設けられ、屋外用遮熱材１が、屋根材７の端部７Ａに対向する位置で折り曲げられ、この折り曲げられた屋外用遮熱材１が両面テープ２１又は接着剤２２を介して、屋根材７の裏側７Ｂに位置付けられる。
【００３４】
＜折板屋根３０＞
本実施形態の折板屋根３０は、複数の屋根材が接合されて形成されているものを例として説明する。折板屋根３０は、図３（ａ）に示すように、凸部３１に接合部（第一接合部）３２を有する第一屋根材（一方の屋根材）３３と、同様に凸部３４に接合部（第二接合部）３５を有する第二屋根材（他方の屋根材）３６とを備えている。接合部３２及び接合部３５は、第一屋根材３３と第二屋根材３６の流れ方向に連設されている。なお、折板屋根３０を構成する第一屋根材３３や第二屋根材３６を、屋根材７とも呼ぶ。
第一屋根材３３と第二屋根材３６は、接合部３２と接合部３５とを係合させることで、接続される。このとき、接合部３２と接合部３５とが接続された接続部３７は、折板屋根３０の流れ方向に形成される。
【００３５】
屋外用遮熱材１は、屋根材７の水下から所定の長さだけ延出されるように設計され、延出された部分を折り曲げ、折り曲げた屋外用遮熱材１を第一屋根材３３及び第二屋根材３６の裏側７Ｂに貼り付け、固定される。
具体的には、屋根材７の凹部の側面や凸部３１，３４の側面に両面テープ９、屋根材７の裏側７Ｂに両面テープ２１又は接着剤２２がそれぞれ設けられる（図３（ｂ）及び図４（ａ））。屋外用遮熱材１は、屋根材７の端部７Ａに対向する位置で折り曲げられ、この折り曲げられた屋外用遮熱材１は、両面テープ２１又は接着剤２２を介して、屋根材７の裏側７Ｂに貼り付けられる。つまり、屋外用遮熱材１は、折り曲げられて、屋根材７の裏側７Ｂに巻き込まれる。この際、凹部の底部には、両面テープ９は設けられていない。
【００３６】
本実施形態に係る凹凸屋根の遮熱構造２０では、屋外用遮熱材１が屋根材７の水下端部７Ａに対向する位置で折り曲げられ、屋根材７の裏側７Ｂに貼り付けられるため、端部７Ａは、屋外用遮熱材１で被覆される。そうすると、水下側からの風が、屋外用遮熱材１と凹部の底部との隙間に入り込むことを確実に防ぐことができ、風の影響で屋外用遮熱材１が剥がれてしまうことを確実に防止できる。
【００３７】
本実施形態に係る凹凸屋根の遮熱構造２０では、図４（ｂ）に示すように、接続部３７は、上側から遮熱テープ１Ａによって、被覆されている。接続部３７を屋外用遮熱材１で被覆することにより、接続部３７から屋根材７の内部に雨水等が侵入することを確実に防ぐことができる。
【００３８】
＜瓦棒葺き屋根４０＞
次に、本実施形態の瓦棒葺き屋根４０に形成される凹凸屋根の遮熱構造２０について、図５及び図６を参照し、説明する。
瓦棒葺き屋根４０は、図５（ａ）に示すように、凸部４１に接合部（第一接合部）４２を有する第一屋根材（一方の屋根材）４３と、同様に凸部４４に接合部（第二接合部）４５を有する第二屋根材（他方の屋根材）４６とを備えている。接合部４２及び接合部４５は、第一屋根材４３と第二屋根材４６の流れ方向に連設されている。第一屋根材４３と第二屋根材４６は、接合部４２と接合部４５とを接続部材４８によって、接続される。このとき、接合部４２と接合部４５とが接続された接続部４７は、瓦棒葺き屋根４０の流れ方向に形成される。
なお、瓦棒葺き屋根４０を構成する第一屋根材４３や第二屋根材４６を、屋根材７とも呼ぶ。
【００３９】
屋外用遮熱材１は、第一屋根材４３及び第二屋根材４６の水下から所定の長さだけ延出されるように設計され、延出された部分を折り曲げ、折り曲げた屋外用遮熱材１を第一屋根材４３及び第二屋根材４６の裏側７Ｂに位置付けられる。
具体的には、図５（ｂ）及び図６（ａ）に示すように、屋根材７の凹部の側面や凸部４１，４４の側面に両面テープ９、屋根材７の裏側７Ｂに、両面テープ２１又は接着剤２２、屋根材７の水下端部７Ｂに、両面テープ（第三両面テープ）２３又は接着剤（第二接着剤）２４が設けられ、屋外用遮熱材１の折り曲げられた部分が、両面テープ２３又は接着剤２４を介して、端部７Ａに貼り付けられる。そして、折り曲げられた屋外用遮熱材１は、両面テープ２１又は接着剤２２を介して、第一屋根材４３及び第二屋根材４６の裏側７Ｂに貼り付けられる。
【００４０】
本実施形態に係る凹凸屋根（瓦棒葺き屋根４０）の遮熱構造２０では、図６（ｂ）に示すように、接続部４７は、上側から遮熱テープ１Ａによって、被覆されている。そのため、接続部４７から雨水等が侵入することを確実に防ぐことができる。
【００４１】
本実施形態に係る瓦棒葺き屋根４０における凹凸屋根の遮熱構造２０でも、端部７Ａは、屋外用遮熱材１で被覆され、水下側からの風が、屋外用遮熱材１と凹部の底部との隙間に入り込むことを確実に防ぐことができ、風の影響で屋外用遮熱材１が剥がれてしまうことを確実に防止できる。
また、屋根材７の水下端部７Ｂに、両面テープ２３又は接着剤２４が設けられ、屋外用遮熱材１の折り曲げられた部分が、両面テープ２３又は接着剤２４を介して、端部７Ａに貼り付けられるため、屋外用遮熱材１をより確実に屋根材７に固定するとともに、外観も良好に維持することができる。
【００４２】
以上、本実施形態について説明したが、これ以外にも、本発明の主旨を逸脱しない限り、上記実施の形態で挙げた構成を取捨選択したり、他の構成に適宜変更することが可能である。なお、第一両面テープ９、第二両面テープ２１、第三両面テープ２３は、同じ素材のものを使用しても、異なるものを使用してもよい。
【符号の説明】
【００４３】
１      屋外用遮熱材（遮熱材）
１Ａ    遮熱テープ（遮熱材）
２      着色顔料等を含有し輻射熱を良く透過する高透過樹脂の乱反射層
３      アルミホイル等輻射熱に対して高反射率の素材
４      粘着フィルム
５      不織布やガラス繊維
６      輻射熱を良く透過する高透過樹脂層
７      折板半屋根材（屋根材）
７Ａ    端部（水下端部）
７Ｂ    裏側（屋根材の裏側）
８      空間
９      両面テープ（第一両面テープ）
１０，２０  凹凸屋根の遮熱構造
１１    凹部
１２    凸部
１３    側面（側部）
２１    両面テープ（第二両面テープ）
２２    接着剤（第一接着剤）
２３    両面テープ（第三両面テープ）
２４    接着剤（第二接着剤）
３０    折板屋根（凹凸屋根）
３１，４１  凸部
３２，４２  接合部（第一接合部）
３３，４３  第一屋根材（一方の屋根材）
３４，４４  凸部
３５，４５  接合部（第二接合部）
３６，４６  第二屋根材（他方の屋根材）
３７，４７  接続部
４０    瓦棒葺き屋根（凹凸屋根）
４８    接続部材
【要約】
【課題】工場や倉庫或いは店舗等で使われている折板屋根の太陽光側に、両面テープ９で遮熱材１を貼る事により、安価で誰でも簡単に施工でき、しかも大幅な省エネルギーや熱中症対策に効果的な凹凸屋根の遮熱構造を提供する。
【解決手段】本発明は、折板屋根や瓦棒葺き屋根等凹凸を有する凹凸屋根の遮熱構造１０であって、屋根を構成する屋根材７の、太陽光側に位置する凸部１２と、凸部１２から凹部１１に至る側面１３に両面テープ９が設けられ、両面テープ９を介して屋根材７の太陽光側に遮熱材１が位置付けられている構成をとる。
【選択図】図２【図１】
0006833233.tif 000002
【図２】
0006833233.tif 000003
【図３】
0006833233.tif 000004
【図４】
0006833233.tif 000005
【図５】
0006833233.tif 000006
【図６】
0006833233.tif 000007